(57)【要約】【課題】  塩水選や揺動比重選別手段によることなく健全種籾を得ることができる種籾選別方法およびその装置を提供する。【解決手段】  種籾選別装置１は、種籾を投入して脱芒処理を施す脱芒部２と、脱芒した種籾を規定網目の選別網面に摺接させて選別する選別部３とで構成される。脱芒部２は多角筒体４内に撹拌回転体５を備える。選別部３は規定網目の選別網面を有する円筒体６内に、その内面に接して回転する可撓性板７からなる掻き上げ回転体８を備えている。脱芒部２の撹拌回転体５と選別部３の掻き上げ回転体８は同一回転軸９による一体回転構成である。選別部３の円筒体６は、軸周方向にその一部を規定網目の選別網面とし、かつ他の部分を無孔滑面とする。【選択図】        図１
2005238203.tif 000002
【特許請求の範囲】
【請求項１】
種籾に脱芒処理を施し、次いで脱芒した種籾を規定網目の選別網面に摺接させて網目を透過する籾粒を排除する一連の連続処理により、上記選別網面の網目を透過せずに残った籾粒を健全種籾とすることを特徴とする種籾選別方法。
【請求項２】
種籾を投入して脱芒処理を施す脱芒部と、脱芒した種籾を規定網目の選別網面に摺接させて選別する選別部とで構成され、脱芒部は多角筒体内に撹拌回転体を備え、かつ選別部は規定網目の選別網面を有する円筒体内にその内面に接して回転する可撓性板からなる掻き上げ回転体を備えており、脱芒部の撹拌回転体と選別部の掻き上げ回転体は同一回転軸による一体回転構成であることを特徴とする種籾選別装置。
【請求項３】
選別部の円筒体は、軸周方向にその一部を規定網目の選別網面とし、かつ他の部分を無孔滑面としたことを特徴とする請求項２記載の種籾選別装置。
【発明の詳細な説明】
【技術分野】
【０００１】
本発明は、種籾として収穫乾燥した種籾から不完全籾粒を排除して健全種籾を得る種籾選別方法およびその装置に関するものである。
【背景技術】
【０００２】
種籾として収穫乾燥した種籾には、健全種籾とともに不完全籾粒がかなりの比率で混ざっているので、良質の種籾を得るには不完全籾粒を選別して除去する必要がある。
【０００３】
従来、最も信頼性の高い種籾の選別手段として、一定濃度（比重：約１．１３）の塩水に種籾を浸して掻き混ぜ、浮き上がった籾粒を除去する塩水選が普及している（特開平８−１８７４６４号公報、特開平８−１８７４６５号公報または特開平８−１９２１０９号公報のいずれも段落「０００２」参照）。
【０００４】
種籾の塩水選は不完全籾粒を確実に排除できるところから、健全種籾を得るための選別面からみれば卓越した手段ではあるが、高濃度の塩水を用いなければならないので、近時その廃水による環境破壊が問題視されているだけでなく、塩水に浸した種籾を水洗して乾燥しなければならないなど、作業面からみても多くの問題点が指摘されていた。
【０００５】
このように、広く行われている種籾の塩水選は、選別機能面で優れているとしても反面で多くの欠点もあるところから、前掲の特開平８−１８７４６４号公報、特開平８−１８７４６５号公報または特開平８−１９２１０９号公報においては、種籾の揺動による比重選別手段をそれぞれ紹介している。
【０００６】
なお、種籾の脱芒手段については、特開平５−２３６０１号公報、実願平３−６５５２４号（実開平５−９６４１号）のＣＤ−ＲＯＭ、特開昭６３−２０８号公報、特開昭５７−１２２７０３号公報または特開平８−１９３０５号公報にそれぞれ開示されている。
【特許文献１】特開平８−１８７４６４号公報
【特許文献２】特開平８−１８７４６５号公報
【特許文献３】特開平８−１９２１０９号公報
【特許文献４】特開平５−２３６０１号公報
【特許文献５】実願平３−６５５２４号（実開平５−９６４１号）のＣＤ−ＲＯＭ
【特許文献６】特開昭６３−２０８号公報
【特許文献７】特開昭５７−１２２７０３号公報
【特許文献８】特開平８−１９３０５号公報
【発明の開示】
【発明が解決しようとする課題】
【０００７】
ところで、前掲の特開平８−１８７４６４号公報、特開平８−１８７４６５号公報または特開平８−１９２１０９号公報において紹介している種籾の揺動による比重選別手段は、揺動により比重の小さい籾粒を比重の大きい籾粒の上層に浮上させ、下層の籾粒を健全種籾として分離する選別作用によるところから、下層に沈む籾粒と上層に浮上する籾粒との分離性が不完全であって、とても塩水選に匹敵するような信頼性の高い種籾の選別は到底できないものであった。
【０００８】
そこで本発明は、果実が充実して外形状の整っている籾粒が発芽能、生育能、耐細菌性および耐黴性に特にすぐれるとの新たな知見に基づき、種籾に脱芒処理を施し、次いで脱芒した種籾を規定網目の選別網面に摺接させて網目を透過する籾粒を排除し、上記選別網面の網目を透過せずに残った籾粒を健全種籾とすることにより、塩水選や揺動比重選別手段によることなく健全種籾を得ることができる種籾選別方法およびその装置を提供することを目的とするものである。
【課題を解決するための手段】
【０００９】
上記目的を達成するための本発明の請求項１に係る種籾選別方法は、種籾に脱芒処理を施し、次いで脱芒した種籾を規定網目の選別網面に摺接させて網目を透過する籾粒を排除する一連の連続処理により、上記選別網面の網目を透過せずに残った籾粒を健全種籾とすることを特徴とするものである。
【００１０】
また、本発明の請求項２に係る種籾選別装置は、種籾を投入して脱芒処理を施す脱芒部と、脱芒した種籾を規定網目の選別網面に摺接させて選別する選別部とで構成され、脱芒部は多角筒体内に撹拌回転体を備え、かつ選別部は規定網目の選別網面を有する円筒体内にその内面に接して回転する可撓性板からなる掻き上げ回転体を備えており、脱芒部の撹拌回転体と選別部の掻き上げ回転体は同一回転軸による一体回転構成であることを特徴とするものである。
【００１１】
本発明の請求項３に係る種籾選別装置は、請求項２の構成において、選別部の円筒体は、軸周方向にその一部を規定網目の選別網面とし、かつ他の部分を無孔滑面としたことを特徴とするものである。
【発明の効果】
【００１２】
本発明に係る種籾選別方法およびその装置によれば、塩水選や揺動比重選別手段によることなく健全種籾を得ることができる。
【発明を実施するための最良の形態】
【００１３】
図１は本発明による種籾選別装置の全体を示す断面図、図２は同上要部の分解斜視図、図３は選別部の分解斜視図、図４は選別部の規定網目の選別網面を有する円筒体の斜視図、図５は他の構成を示す要部の分解斜視図である。
【００１４】
図１に示すように、本発明に係る種籾選別装置１は、種籾を投入して脱芒処理を施す脱芒部２と、脱芒した種籾を規定網目の選別網面に摺接させて選別する選別部３とで構成されている。脱芒部２は多角筒体４内に撹拌回転体５を備え、選別部３は規定網目の選別網面を有する円筒体内６にその内面に接して回転する可撓性板７からなる掻き上げ回転体８を備えている。脱芒部２の撹拌回転体５と選別部３の掻き上げ回転体８は同一の回転軸９による一体回転構成である。
【００１５】
脱芒部２の多角筒体４と選別部３の円筒体６は、軸方向に連なるように配置さていて、その仕切り面１０の下部は連通口１１により連通しており、連通口１１には開度および開閉自在の手動によるシャッタ１２を備えている。脱芒部２の多角筒体４の始端上部には種籾を投入するホッパ１３が取り付けられている。このホッパ１３は着脱自在であって、梱包時や不使用時には選別部３の下部空間内に収蔵できるようになっている。１４は駆動電動機であって、脱芒部２の下部空間内に収蔵されて固定されており、電動機１４と脱芒部２の撹拌回転体５と選別部３の掻き上げ回転体８の回転軸９とは、ベルト伝動機構１５により連結されている。
【００１６】
脱芒部２の多角筒体４内の撹拌回転体５は、円筒部１６に多数の撹拌突起部１７を設けたものである。多角筒体４は８角筒であるが必ずしもそれに限らない。選別部３の円筒体６は、その略上半部が規定網目の選別網面１８をなし、略下半部は無孔滑面１９をなしている。円筒体６はその全周面を選別網面１８としてもよい。円筒体内６内の掻き上げ回転体８は、その内面に接して回転する可撓性板７を有していて、回転軸９に２枚の可撓性板７を取り付けたものである。可撓性板７はウレタンゴム板であるが、これはブラシ状のものであってもよい。上記のように無孔滑面１９を設けることにより籾粒に過大な摺接や衝撃を加えないですむので、いっそう良好な健全種籾を得ることができる。選別部３の円筒体６の終端側下部には選別された健全種籾の送り出し樋２０を設けてある。
【００１７】
選別部３の円筒体６の選別網面１６は、周方向に細長の網目をなしており、その網目の目幅は２．０〜２．５ｍｍの範囲内で選定するが、２．１または２．２が好適である。
【００１８】
脱芒部２の多角筒体４は機体に固定されており、選別部３の円筒体６も脱芒部２と反対側から挿入して機体に固定するが、図５に示すように、仕切り面１０に回転軸９を囲むように複数の案内棒２１を取り付けておけば、回転体６をその案内棒２１に沿って挿入することによって的確に位置決めがなされるので、回転体６の装着が容易にできる。
【００１９】
本発明に係る種籾選別装置１は、脱芒部２の撹拌回転体５と選別部３の掻き上げ回転体８が同一の回転軸９による一体回転構成であって、脱芒部２と選別部３が機能上一体構成であるから、脱芒と選別の機能向上と構成の簡素化による利点が大きいものである。
【００２０】
本発明に係る種籾選別装置１により種籾の選別をするには、ホッパ１３に種籾を投入するが、ホッパ１３に投入された種籾は脱芒部２の撹拌回転体５による撹拌に伴う多角筒体４との間の衝撃や摩擦作用によって脱芒され、脱芒された種籾は連通口１１から選別部３の円筒体６内に移動する。そして、選別部３の円筒体６内に移動した種籾は、掻き上げ回転体８により円筒体６の内面に摺接されるとともに投擲作用も加わるので、種籾に混在している不完全籾粒と塵埃は円筒体６の選別網面１６を透過して排除され、選別網面１６を透過せずに残った籾粒が健全種籾として送り出し樋２０から取り出される。
【００２１】
このように、本発明に係る種籾選別装置１によれば、選別部３の円筒体６の選別網面１６から透過しない籾粒を健全籾とするので、選別網面１６の目幅を大きく設定するほど信頼性の高い健全種籾を選別することができるが、その反面不完全籾粒として排除される比率が高くなる。しかしながら、排除される籾粒も塩水選のように籾粒を濡らさないので、そのまま食用などの消費用として無駄なく利用することができる。そして、この場合にあっては、選別網面１６の網目の目幅は２．５ｍｍを超えてさらに大きく選定してもよい。
【産業上の利用可能性】
【００２２】
本発明による種籾選別方法およびその装置によれば、種籾に脱芒処理を施し、次いで脱芒した種籾を規定網目の選別網面に摺接させて網目を透過する籾粒を排除し、上記選別網面の網目を透過せずに残った籾粒を健全種籾とするところから、種籾に限らず食用などの消費用籾の選別にも利用することができる。このため、本発明による種籾選別方法およびその装置は、玄米の粒選別に代わって貯蔵性に優れた籾の選別手段として今後の利用可能性の拡大が期待できる。
【図面の簡単な説明】
【００２３】
【図１】本発明による種籾選別装置の全体を示す断面図である。
【図２】同上要部の分解斜視図である。
【図３】選別部の分解斜視図である。
【図４】選別部の規定網目の選別網面を有する円筒体の斜視図である。
【図５】他の構成を示す要部の分解斜視図である。
【符号の説明】
【００２４】
１  種籾選別装置
２  脱芒部
３  選別部
４  多角筒体
５  撹拌回転体
６  円筒体
７  可撓性板
８  掻き上げ回転体
９  回転軸
１０  仕切り面
１１  連通口
１２  シャッタ
１３  ホッパ
１４  駆動電動機
１５  ベルト伝動機構
１６  円筒部
１７  撹拌突起部
１８  選別網面
１９  無孔滑面
２０  健全種籾の送り出し樋
２１  案内棒
【図１】
2005238203.tif 000003
【図２】
2005238203.tif 000004
【図３】
2005238203.tif 000005
【図４】
2005238203.tif 000006
【図５】
2005238203.tif 000007